(57)【要約】【課題】使用性とセキュリティ安全性が高く、美観維持性も高い冷蔵庫の提供。【解決手段】複数の貯蔵室を有する冷蔵庫本体１と、前記貯蔵室を開閉する扉１１と、近接通信を行うＲＦＩＤタグ２１を備え、上記ＲＦＩＤタグは前記各貯蔵室を開閉する扉のうちの一つであってその扉表面の最凸部に設けた構成としてある。これにより、子供やお年寄り等であっても対象冷蔵庫を誤解することなく安心して使用でき、使いやすいとともに、インターネットを介在することなく冷蔵庫と携帯端末と直接データを送受信するためセキュリティの問題も発生することがなく、安全性も向上する。また、ＲＦＩＤタグは扉表面の最凸部に設けてあるから、ＲＦＩＤタグ周縁の扉外装を携帯端末で傷つけることもなく長期間にわたって扉外装の美観を良好に維持できる。【選択図】図３
2013190128.tif 000002
【特許請求の範囲】
【請求項１】
複数の貯蔵室を有する冷蔵庫本体と、前記貯蔵室を開閉する扉と、近接通信を行うＲＦＩＤタグを備え、上記ＲＦＩＤタグは前記各貯蔵室を開閉する扉のうちの一つであってその扉表面の最凸部に設けた冷蔵庫。
【請求項２】
扉の表面はラウンド面で構成するとともに、ラウンド面の最も凸部分となる部分にＲＦＩＤタグを設けた請求項１記載の冷蔵庫。
【請求項３】
ＲＦＩＤタグは当該ＲＦＩＤタグ配置面より凸方向にオフセットして設けた請求項１または２記載の冷蔵庫。
【請求項４】
扉表面に操作ユニットを設け、この操作ユニットをＲＦＩＤタグ配置面より凸方向にオフセットして設けるとともにＲＦＩＤタグは当該操作ユニットに組み込んだ請求項３記載の冷蔵庫。
【請求項５】
ＲＦＩＤタグはその幅を携帯端末の通信部分幅より短い範囲で扉表面から突出している請求項１〜４のいずれか１項記載の冷蔵庫。
【請求項６】
ＲＦＩＤタグの上下左右少なくともいずれか一方向の寸法は携帯端末の長辺方向の寸法より短くした請求項１〜４のいずれか１項記載の冷蔵庫。
【発明の詳細な説明】
【技術分野】
【０００１】
本発明は携帯端末とデータの送受信を行う冷蔵庫に関するものである。
【背景技術】
【０００２】
従来、インターネット等の通信網を介して家電機器と情報をやり取りし、家電機器の利便性を向上させたシステムがみられる。例えば冷蔵庫をインターネットに接続し、故障内容をサービス業者に伝達して、的確な故障修理を可能にするようにしたものがみられる（例えば、特許文献１参照）。
【０００３】
このようなシステムに使用する機器としては冷蔵庫に限らず、他の家電品でも同様のものが多くみられる。そして、このような機器はいわゆるネット家電と称され、近年通信インフラの整備、携帯端末の進化を受けて、ますますの広がりを見せ、家庭内にある複数の家電機器にこのような通信機能が装備されていくことが予測される。
【先行技術文献】
【特許文献】
【０００４】
【特許文献１】特開２００２−２９５９３９号公報
【発明の概要】
【発明が解決しようとする課題】
【０００５】
しかしながら、上記のように家電機器の情報化が進められていく中において、一般に白物家電と呼ばれる機器は、老若男女に関わらず日常的に使用されることから、その使いやすさがとても重要視される。すなわち、単独の冷蔵庫がインターネットに接続されているだけであれば、使用性の問題はなく、そのサービスを十分に享受できる。しかしながら、家電の情報化が広まり複数の家電機器がインターネットに接続されてサービス対象となると、機器情報の双方向のやり取りの中で、対象の機器がどの固体を示しているのか、子供やお年寄りにはわかりづらく、使いにくいという課題が生じる。また、家庭内に２台の冷蔵庫を保有している場合などで、冷蔵庫の庫内温度設定を間違えて操作してしまうなどの問題も予見される。
【０００６】
また、セキュリティ面での対策も大きな課題となってくる。すなわち、非常に高度なセキュリティで保護されている行政機関などのシステムでもサイバー被害を受ける現実を考えると、家電機器の情報化により家庭内の機器と情報が被害にあう可能性は十分に考えられる。例えば、機器の情報が流出するリスクや機器を勝手に制御されてしまうリスクが存在する。様々なセキュリティ技術により防衛する手段が社会的に講じられているものの、特に機器を勝手に設定変更されたりすると製品の基本機能が損なわれる問題が発生する可能性がある。
【０００７】
そこで本発明者らは冷蔵庫本体にＲＦＩＤ（Ｒａｄｉｏ  Ｆｒｅｑｕｅｎｃｙ  ＩＤｅｎｔｉｆｉｃａｔｉｏｎ）タグを設け、このＲＦＩＤタグに携帯端末を近づけることによって、冷蔵庫本体のデータを携帯端末で読み取るようにした冷蔵庫を考え、試作してみた。
【０００８】
この冷蔵庫は、ＲＦＩＤタグという超近接通信を用いて通信を行うようにしたから、対象機器を間違って判別することがなく、一般的な無線通信を行うシステムのような固体判別の問題はなくなり、使用性が向上するとともに、携帯端末によってＲＦＩＤタグのデータを直接読み取るのでインターネットのような通信網を介して情報を読み取る場合のよう
なセキュリティの問題もなくなり、安全性も向上する。
【０００９】
しかしながら被験者による種々の実用試験の結果、使用者が携帯端末をＲＦＩＤタグに接近もしくは接触させるときに当該携帯端末がＲＦＩＤタグを設けてある冷蔵庫本体の表面に触れてこれを傷つける課題が判明してきた。特に冷蔵庫のようなおおきな垂直面にＲＦＩＤタグ２１を設けたものにあっては、携帯端末２２を近接させるときの距離感がつかみにくく、かなりの被験者が携帯端末を冷蔵庫表面に接触させて傷つけていた。
【００１０】
本発明はこのような点をも含めて前記従来の課題を解決したもので、使用性とセキュリティ安全性が高く、美観維持性も高い冷蔵庫を提供するものである。
【課題を解決するための手段】
【００１１】
前記従来の課題を解決するために本発明は、複数の貯蔵室を有する冷蔵庫本体と、前記貯蔵室を開閉する扉と、近接通信を行うＲＦＩＤタグを備え、上記ＲＦＩＤタグは前記各貯蔵室を開閉する扉のうちの一つであってその扉表面の最凸部に設けた構成としてある。
【００１２】
これにより、複数の家電機器の対象選択があっても、通信実施時には、必ず対象となる家電機器本体にタッチする動作で機器近傍に携帯端末を持ち寄るので、子供やお年寄り等であっても対象を誤解することなく直感的に理解することができ、操作に迷うことがなく安心して使用でき、使いやすいとともに、インターネットを介在することなく家電機器と携帯端末と直接データを送受信するためセキュリティの問題も発生することがなく、安全性も向上する。また、ＲＦＩＤタグは扉表面の最凸部に設けてあるから、携帯端末をＲＦＩＤタグにタッチさせて確実な通信性能を確保することができ、信頼性の高いものになると同時に、ＲＦＩＤタグ周縁の扉外装を携帯端末で傷つけることもなく長期間にわたって扉外装の美観を良好に維持できる。
【発明の効果】
【００１３】
本発明はＲＦＩＤタグという超近接通信を用いて通信を行うようにしたから、対象機器を間違って判別することがなく、一般的な無線通信を行うシステムのような固体判別の問題はなくなり、使用性が向上するとともに、携帯端末によってＲＦＩＤタグのデータを直接送受信するのでインターネットのような通信網を介して情報を読み取る場合のようなセキュリティの問題もなくなり、安全性も向上するとともに、携帯端末でＲＦＩＤタグ周縁の扉外装を傷つけることもなく長期間にわたっての美観維持性の高い冷蔵庫を提供できる。
【図面の簡単な説明】
【００１４】
【図１】本発明の実施の形態１における冷蔵庫の使用状態を示す正面図
【図２】同冷蔵庫の概略断面図
【図３】同冷蔵庫の概略平面断面図
【図４】同冷蔵庫の操作部を示す正面図
【図５】同冷蔵庫の冷蔵庫制御部と携帯端末の携帯制御部を示す制御ブロック図
【図６】同冷蔵庫の冷蔵庫制御部と携帯端末の携帯制御部における動作を説明するフローチャート
【図７】同実施の形態２における冷蔵庫の平面断面図
【図８】同実施の形態３における冷蔵庫の平面断面図
【図９】一般的な携帯端末の持ち方を示す図
【発明を実施するための形態】
【００１５】
第１の発明は、複数の貯蔵室を有する冷蔵庫本体と、前記貯蔵室を開閉する扉と、近接通信を行うＲＦＩＤタグを備え、上記ＲＦＩＤタグは前記各貯蔵室を開閉する扉のうちの
一つであってその扉表面の最凸部に設けた構成としてある。
【００１６】
これにより、複数の家電機器の対象選択があっても、通信実施時には、必ず対象となる家電機器本体にタッチする動作で機器近傍に携帯端末を持ち寄るので、子供やお年寄り等であっても対象を誤解することなく直感的に理解することができ、操作に迷うことがなく安心して使用でき、使いやすいとともに、インターネットを介在することなく家電機器と携帯端末と直接データを送受信するためセキュリティの問題も発生することがなく、安全性も向上する。また、ＲＦＩＤタグは扉表面の最凸部に設けてあるから、携帯端末をＲＦＩＤタグにタッチさせて確実な通信性能を確保することができ、信頼性の高いものになると同時に、ＲＦＩＤタグ周縁の扉外装を携帯端末で傷つけることもなく長期間にわたって扉外装の美観を良好に維持できる。
【００１７】
第２の発明は、第１の発明の扉の表面はラウンド面で構成するとともに、ラウンド面の最も凸部分にＲＦＩＤタグを設けた構成としてあり、扉表面に当該表面から盛り上げるための部品を用いることなくＲＦＩＤタグを最も突出したものとすることができるとともに、ＲＦＩＤタグ周縁部分の扉表面がラウンド状に後退しているから携帯端末が多少斜めに近づいてきても扉表面を傷つけることが少なくなる。
【００１８】
第３の発明は、第１または第２発明のＲＦＩＤタグは当該ＲＦＩＤタグ配置面より凸方向にオフセットして設けた構成としてあり、ＲＦＩＤタグは必ず扉表面より突出した形となって、携帯端末との近接寸法を極少或いは携帯端末と接触させることができ、より確実な通信性能の確保ができて信頼性が向上すると同時にＲＦＩＤタグの周辺における扉表面の傷つけをより確実に防止することができる。
【００１９】
第４の発明は、第３の発明のＲＦＩＤタグを設けた扉はその扉表面に操作ユニットを設け、この操作ユニットをＲＦＩＤタグ配置面より凸方向にオフセットして設けるとともに、ＲＦＩＤタグは当該操作ユニットに組み込んだ構成としてあり、ＲＦＩＤタグを突出設置するにあたって操作ユニットを活用して合理的にＲＦＩＤタグを凸設置することができ、凸設置専用部材を用いるなどしなくて良くて構成の簡素化が図れる。
【００２０】
第５の発明は、第１〜第４の発明のＲＦＩＤタグはその幅を携帯端末の通信部分幅より短い範囲で扉表面から突出した構成としてあり、携帯端末が多少ずれて近づいてきても携帯端末とＲＦＩＤタグは確実に対向することになってその通信性能は良好に確保され、信頼性がより向上する。
【００２１】
第６の発明は、第１〜第５の発明のＲＦＩＤタグの上下左右少なくともいずれか一方向の寸法は携帯端末の長辺方向の寸法より短い構成としてあり、携帯端末を持つとき当該携帯端末は通常短辺側を握って持つため使用者の指の一部がＲＦＩＤタグ側に位置しても、この指に邪魔されることなく携帯端末をＲＦＩＤタグに確実に接近もしくは接触させることができ、良好な通信性能が確保できて信頼性がより向上する。
【００２２】
以下、本発明の実施の形態について、図面を参照しながら説明する。なお、この実施の形態によって本発明が限定されるものではない。
【００２３】
（実施の形態１）
図１は本発明の実施の形態１における冷蔵庫の使用状態を示す正面図、図２は同冷蔵庫の概略断面図、図３は同冷蔵庫の概略平面断面図、図４は同冷蔵庫の操作部を示す正面図、図５は同冷蔵庫の冷蔵庫制御部と携帯端末の携帯制御部を示す制御ブロック図、図６は同冷蔵庫の冷蔵庫制御部と携帯端末の携帯制御部における動作を説明するフローチャートである。
【００２４】
図において、１は冷蔵庫本体で、図２に示すように複数の貯蔵室２，３，４，５，６を備えている。この各貯蔵室は上から冷蔵室２、製氷室３及びその製氷室３の側方に位置する切換室４（冷凍室温度約―１８℃から野菜室温度約６℃まで切替え可能）、冷凍室５、野菜室６となっている。なお、そのレイアウトは必要に応じて適宜設定されるものである。
【００２５】
また、上記冷蔵庫本体１は、主に鋼板を用いた外箱１ａと、ＡＢＳなどの樹脂で成型された内箱１ｂと、外箱１ａと内箱１ｂとの間の空間に充填発泡された硬質ウレタンフォーム１ｃで構成されている。さらに必要に応じて部分的により断熱性能を高めるために真空断熱材１ｄを硬質ウレタンフォーム内に埋設して構成してある。例えば、図２に示すように、製氷室３と切換室４および冷凍室５に対応する背面部の空間内に真空断熱材１ｄを貼り付け、硬質ウレタンフォーム１ｃとの複合体としてある。
【００２６】
また冷蔵庫本体１の天面部は冷蔵庫の背面方向に向かって階段状に凹みを設けた形状とし、この階段状の凹部に機械室７を形成して、当該機械室７に、圧縮機８、水分除去を行うドライヤ（図示せず）等の冷凍サイクルの高圧側構成部品と冷蔵庫制御部ユニット（図示せず）を収容してあり、最下部の野菜室収納容積の拡大を図っている。
【００２７】
また冷凍サイクルの低圧側を構成する冷却器９は冷凍室５の後方に配置し、冷却ファン１０によって冷却器９で生成された冷気を強制送風して各貯蔵室２〜６を冷却するようになっている。
【００２８】
前記各貯蔵室２〜６はそれぞれに対応して設けた扉１１，１２，１３，１４，１５によって開閉されるようになっており、この各扉１１，１２，１３，１４，１５は手かけ部１６を有するとともに、冷蔵庫本体１と同様硬質ウレタンフォーム１ｃを外表面の金属材料と内表面のＡＢＳなどの樹脂材料とで密閉された内部に充填発泡させて構成してある。さらに、外表面の一部に樹脂材料で構成された基板収納部と基板カバーの内部に操作ユニットが配置されている。ＲＦＩＤタグを樹脂材でカバーするので、金属による送電影響を防ぐことが出来る。
【００２９】
なお、扉は外表面を金属でなくガラス材で構成しガラス内部に操作ユニットを密着配置しても金属材による電波の影響を防止できる。
【００３０】
そしてこれら各扉１１，１２，１３，１４，１５にはこれに対応して扉開閉検出手段（構造を説明する図では図示せず）が設けてあり、その開閉回数と累計開成時間データが冷蔵庫制御部で処理されるようになっている。
【００３１】
ここで、この実施の形態の冷蔵庫は最上部に位置する冷蔵室２の扉は左右面積の異なる２枚の扉１１ａ、１１ｂからなる観音開き式扉としてあり、これらの左右の扉１１ａ、１１ｂの突き合わせ面部分が最も手前側に突出した凸形状としてある。そしてこの凸部分となる例えば右側扉１１ｂの端部には上下方向にわたって操作ユニット１８が設けてあり、この操作ユニット１８への給電や制御信号送信のための直流配線が施してあって、交流配線は当該右側扉１１ｂに配することなく左側扉１１ａに施してある。なお、上記右側扉１１ｂは自動扉開閉機構１７によって扉表面を軽く押すだけで開く構成としてあり、図示しない扉開閉検出手段でその開閉が検出されるように構成してある。
【００３２】
上記の操作ユニット１８には図３に示すように各貯蔵室２〜６の温度設定等を行う静電タッチスイッチ式の設定スイッチ１９、及び設定スイッチ１９の上方に配置した設定状態表示部２０とともに、この冷蔵庫では例えば扉開閉回数あるいは扉開成累計時間等のデー
タを出力送信するＲＦＩＤタグ２１が設けてある。このＲＦＩＤタグ２１は冷蔵庫本体１の下端より９００ｍｍ以上、１５００ｍｍ以下の高さ範囲の中に設けてあり、図１に示すように使用者が携帯電話、スマートフォンやＰＤＡ等の携帯端末２２を接近させるとそのデータを携帯端末２２の表示部（図１では図示せず）に表示するように構成してある。この実施の形態ではＲＦＩＤタグ２１はパッシブタグ方式で通信距離が１００ｍｍ以内の近接タイプのものを用いている。
【００３３】
また、ＲＦＩＤタグには、製品を識別可能にするＩＤ番号が登録されており、ＩＤ番号の送受信により製品個体を識別する。
【００３４】
図９に一般的な携帯端末２２の持ち方を示す。最近はスマートフォンが普及してきており、携帯端末の寸法形状が大型化しているので、掌に携帯端末を載せる持ち方が一般的になっている。この場合、携帯端末の裏側に掌や指が入る使用形態となるので、近接通信を行うＲＦＩＤタグ側と携帯端末との間に手の一部が入る状態となる。ゆえに、ＲＦＩＤタグ側はＲＦＩＤタグ配置面より凸部とし、その面積も携帯端末の裏側面積より小さいものにすると送受信がし易く、他部への接触も軽減される。
【００３５】
以下、その扉開閉回数等のデータを携帯端末２２の表示部に表示させる構成を図５、図６を用いて説明する。図５は冷蔵庫の冷蔵庫制御部と携帯端末の携帯制御部を示す制御ブロック図、図６は同制御を説明するフローチャートである。
【００３６】
図５において、２５は前記した扉開閉検出手段、２６は前記扉開閉検出手段２５で検出した扉開閉回数をカウントするカウント部、２７はこのカウント部２６でカウントした回数を記憶する回数記憶部、２８は前記扉開閉検出手段２５で検出した扉開閉時の扉開成時間を計測する計時部、２９は前記計時部２８で計測した時間を累計記憶する時間記憶部、そして２１が前述したＲＦＩＤタグで、前記回数記憶部２７からの扉開閉回数データや時間記憶部２９からの扉開成累計時間データの出力部となるもので、アンテナ部３０を一体化したＩＣチップ等で構成してある。３１は携帯電話、スマートフォンやＰＤＡ等の携帯端末２２が接近してデータ要求するとこれを検出する近距離通信検出部で、ＲＦＩＤタグ２１自体が具備しており、データ要求を検出するとＲＦＩＤタグ２１に給電してこれを動作させるようになっている。したがって、前記ＲＦＩＤタグ２１は携帯端末２２が接近してデータ要求すると近距離通信検出部３１によって動作状態となり、上記回数記憶部２７および時間記憶部２９が記憶している最新の扉開閉回数及び扉累計開成時間等のデータをアンテナ３０より外部に送信することになる。
【００３７】
一方、携帯端末２２はこの実施の形態では一般的な携帯電話を用いており、周知の如く近距離通信を行う第１通信部３２とそのアンテナ３３及び通話およびインターネット通信用の第２通信部３４とそのアンテナ３４ａ、これらの通信部を制御する第１、第２通信制御部３５，３６、表示制御部３７等からなる携帯制御部３８、液晶ディスプレイ等の表示部３９、タッチスイッチ等の操作部４０、記憶部４１等からなる。そして、この携帯端末２２は操作部４０の操作によって第１通信制御部３５による近距離通信に切り替えると、データ要求信号を相手方に送信して相手方からのデータを受信可能にするとともに、表示制御部３７が表示部３９の表示を切り替えて第１通信部３２により受信したデータを表示部３９に表示させる、すなわち第１通信部３２のアンテナ３３を冷蔵庫のＲＦＩＤタグ２１に近づけることによってＲＦＩＤタグ２１からの扉開閉回数等のデータを受信し、表示部３９に表示することができる。
【００３８】
なお、上記携帯端末２２とＲＦＩＤタグ２１との近距離通信手段としては種々のものがあり、赤外線通信、無線ＬＡＮ、Ｂｌｕｅｔｏｏｔｈ（登録商標）等のいずれのものであってもよいが、市販の携帯電話やスマートフォン等の使用を考慮して、当該携帯電話やス
マートフォン同士で電話番号等のデータのやり取りを行う近距離通信手段とするのが好ましく、本実施の形態ではこの近距離通信方式を採用している。
【００３９】
上記構成において、以下その動作を図７の制御フローを用いながら説明する。まず、使用者が食品の出し入れのために冷蔵庫の扉、例えば冷蔵室２の右側扉１１ｂを開成すると、ステップ１において、扉開閉検出手段２５が、扉開閉を検出しカウント部２６に信号Ｓ１を出力する。カウント部２６はステップ２で信号Ｓ１にカウント数を＋１し、回数記憶部２７に出力する。そしてステップ３において、近距離通信検出部３１がデータ要求されているか否かを確認し、要求がなければステップ４で１日（２４ｈ）が経過したかを確認して、経過していなければステップ１にもどるとともに、経過すればステップ５にてそれまで記憶していた扉開閉回数をリセットし、ステップ１に戻る。
【００４０】
このような状態で使用者が携帯端末２２のアンテナ３３部分を冷蔵庫扉のＲＦＩＤタグ２１に近づけデータ要求信号を送信する（ステップ６）と、近距離通信検出部３１がステップ３でこれを検出しＲＦＩＤタグ２１が動作を開始し、ＲＦＩＤタグ２１がステップ７で回数記憶部２７、時間記憶部２９に記憶している扉開閉回数及び扉開成累計時間データを取得し、ステップ８においてそのデータを送信する。これにより携帯端末２２はステップ９でそのデータを受信し、ステップ１０においてそのデータを表示部３９に表示する。
【００４１】
このようにこの実施の形態における冷蔵庫は、対象機器となる冷蔵庫自体に直接携帯端末２２を近づけてデータを取得するので、複数の対象冷蔵庫があっても、通信実施時には、必ず対象となる冷蔵庫にタッチする動作で携帯端末を持ち寄るので、子供等であっても対象を誤解することがなく直感的に理解することができ、操作に迷うことなく安心して使用でき、使いやすいとともに、インターネットを介在することなく対象冷蔵庫と携帯端末で直接データを受信するためセキュリティの問題も発生することがなく、安全性も向上する。
【００４２】
また、使用者は携帯端末２２の表示部３９を見ることによって扉開閉回数及び扉開成累計時間を知ることができ、その回数あるいは時間が多い時には以降の扉開閉回数を少なくしようと気をつけて節電が促進されることになる。また、冷蔵庫側では表示装置を廃止するか、或いは表示装置を設けていても、扉開閉数等が所定回数に達したときにこれを報知する程度の啓蒙を行うだけでよくなって、冷蔵庫自体の消費電力を抑えることができる。
【００４３】
特に、この実施の形態では冷蔵庫側の扉開閉回数等を報知する表示装置は廃止して、使用者に扉開閉回数及び扉開成累計時間等を知らせるための表示電力を必要とせず、その分更に節電でき、冷蔵庫の省エネルギー化が向上するようにしてある。すなわち、この冷蔵庫は上記扉開閉回数及び扉開成累計時間を携帯端末２２の表示部３９を介して知ることができるから、冷蔵庫自体はその扉開閉回数及び扉開成累計時間を表示するための表示部を設ける必要がない、すなわち啓蒙表示電力を一切消費することがなく、その分省エネルギー化が進むことになる。
【００４４】
さらにこの実施の形態では冷蔵庫側に近距離通信検出部３１を設けて当該近距離通信検出部３１がデータ要求されていることを検出した場合のみＲＦＩＤタグ２１に給電してデータを送信するようにしているので、データ要求がない時にＲＦＩＤタグ２１が電力を消費することもなく、その分さらなる省エネルギー化が図れる。
【００４５】
一方、この実施の形態の冷蔵庫では、ＲＦＩＤタグ２１は扉表面の最凸部に設けてあるから、携帯端末２２をＲＦＩＤタグ２１により接近または接触させることができて確実な通信性能が確保可能になるとともに、ＲＦＩＤタグ２１周縁の扉外装を携帯端末で傷つけることもなく、長期間にわたって扉外装の美観を良好に維持できる。特にＲＦＩＤタグ２
１を最凸部としたことによって、携帯端末２２をつかみながら近接させたときに手を逃がす空間が生まれ、携帯端末２２が扉表面ら触れないように気を使う度合いが少なくなると同時に携帯端末２２を水平に接近させやすくなる。この携帯端末２２とＲＦＩＤタグ２１とはこれらが水平、すなわち真直ぐに接近しているほど両者の通信性能が向上するため、通信性能確保のためには重要なことである。
【００４６】
また携帯端末２２を携帯電話とした場合、携帯電話は通常長辺部を握り短辺側をはさんでつかむが、人間の関節構造上縦向きに近接させることは難しく、斜めもしくは横向きに近接させることが楽な動作となるが、このような楽な動作で携帯端末２２をＲＦＩＤタグ２１に近づけても、上記した如く携帯端末２２をＲＦＩＤタグ２１に対して水平方向に近接させやすくなる。これとともにＲＦＩＤタグ２１の上下左右少なくともいずれか一方向、この実施の形態では両方向ともその寸法は図１から明らかなように携帯端末２２の長辺方向の寸法より短く設定してあり、携帯端末２２を持つとき当該携帯端末は通常短辺側を握って持つが、その状態で携帯端末２２をＲＦＩＤタグ２１に近づけると、当該携帯端末２２を握っている使用者の扉側の指がＲＦＩＤタグ２１にあたってＲＦＩＤタグ２１に携帯端末２２を近接もしくは接触させることができない、というようなことを防止でき、携帯端末２２をＲＦＩＤタグ２１に確実に接近もしくは接触させることができて良好な通信性能の確保ができる。
【００４７】
また、上記ＲＦＩＤタグ２１は図３に示すようにその幅を携帯端末２２の通信部分幅より短い範囲で扉表面から突出した構成としてあり、携帯端末２２が多少ずれて近づいてきても携帯端末２２とＲＦＩＤタグ２１は確実に対向することになってその通信性能は良好に確保され、信頼性がより向上する。
【００４８】
このように、この冷蔵庫はおおきな垂直面にＲＦＩＤタグ２１を設けていて携帯端末２２を近接させるときの距離感がつかみにくいものであっても、扉表面を傷つけることなく近接もしくは接触させることができ、確実な通信性能の確保と扉表面の傷つき防止を確保することができる。
【００４９】
なお、この実施の形態の冷蔵庫では上記ＲＦＩＤタグ２１は冷蔵庫最上位となる貯蔵室２の扉、すなわち、複数ある貯蔵室のうち最上部の扉に設けてあるから、下部に位置する扉に設けた場合のような障害、すなわち、ＲＦＩＤタグ２１を設けた扉より上の扉を開けた時に漏れ落ちてくる冷気がＲＦＩＤタグ２１に触れてその表面に結露が生じ、通信状態の劣化や部品信頼性の低下等の障害を引き起こすことがない。
【００５０】
また、上記ＲＦＩＤタグ２１は冷蔵庫本体１の下端より９００ｍｍ以上、１５００ｍｍ以下の高さ範囲の中に設けてあり、そのため、一般的な主婦であればかがみ込むなどの無理な姿勢をとることなく携帯端末２２をＲＦＩＤタグ２１に接近させることができる。しかもその際、携帯端末２２の表示部３９を視認しながら携帯端末２２をＲＦＩＤタグ２１に接近させることができる。
【００５１】
また、上記ＲＦＩＤタグ２１は複数ある貯蔵室のうちの冷蔵室２に対応する扉に設けてあり、この冷蔵室２は製氷室３や冷凍室５よりも庫内温度が高いので庫内冷気による影響を少なく抑えることができる。したがって、ＲＦＩＤタグ２１の表面と内部の温度差は小さく抑えられ、結露が発生するのを抑制することができ、通信状態の劣化や部品信頼性の低下等の障害を少なくすることができる。
【００５２】
更に、上記ＲＦＩＤタグ２１は右側扉１１ｂの端部に設けた操作ユニット１８に組み込んであり、使用者が日常的に行う扉への掲示物の張りつけがあってもその張りつけは扉中央部分になることが多く、扉端部に位置するＲＦＩＤタグ２１の表面を覆ってしまうよう
なことは少ない。したがって、使用者は直接携帯端末２２のＲＦＩＤタグ２１に対向接近させることができ、掲示物の上から携帯端末２２を近づけることによって生じるデータ送受信ミスが少なくなるとともに、ＲＦＩＤタグ２１表面にかぶさる掲示物を払いのけて携帯端末を近づけるなどしなくてよく、確実な通信性能確保と使い勝手の向上が可能となる。
【００５３】
また、上記ＲＦＩＤタグ２１は観音開き式の扉とした貯蔵室２の右側扉１１ｂに設けてあり、ＲＦＩＤタグ２１の庫内冷気による障害の発生をより少なくすることができる。すなわち、使用者には比較的右利きの人が多く、右側扉１１ｂはこの右利きの使用者が開閉する頻度が高くなるが、この右側扉１１ｂが開いて庫内の冷気が漏れ出した場合、この冷気は右側扉１１ｂとは反対側の左側扉１１ａの表面に拡散する可能性が高く、漏れ出した冷気から見て裏側となる右側扉１１ｂの表面側（ＲＦＩＤタグ２１の設置側）まで廻り込む可能性は非常に少ない。したがって、この右側扉１１ｂに設けられているＲＦＩＤタグ２１に冷気が触れる可能性はほとんどなくなり、その表面に結露が生じることなどで生じる通信状態の劣化や部品信頼性の低下等の障害を抑制することができる。
【００５４】
また、ＲＦＩＤタグ２１を設けた扉には操作ユニット１８への配線とともに冷蔵庫制御部中の回数記憶部２７や時間記憶部２９からの扉開閉データが送られる配線が設けてあるが、これらはいずれも直流配線であり、当該扉には交流配線を設けていないので、交流配線から発生するノイズでＲＦＩＤタグ２１の送信に支障をきたすようなことがなく、より正確かつ確実な通信性能を確保できる。
【００５５】
また、ＲＦＩＤタグ２１を設けた貯蔵室２の右側扉１１ｂはこれに対応して自動扉開閉機構１７を設けてあるから、キッチンで作業している使用者の手が水で濡れていてもこの水によるＲＦＩＤタグの障害を少なくすることができる。すなわち、使用者は扉に軽くタッチするだけでよくなるため、扉開閉時に扉表面に付着する水滴は極めて微量か付着しない状態となり、ＲＦＩＤタグ２１に携帯電話等の携帯端末２２を接近させるときに、この扉表面に付着した水滴がＲＦＩＤタグ２１自体やこのＲＦＩＤタグ２１に接近させる携帯端末２２に付着して、これを汚したり濡らしたりする不具合を防止することができ、通信状態の劣化や部品信頼性の低下等の障害をより少なくすることができる。
【００５６】
さらに、ＲＦＩＤタグ２１は扉に設けた手かけ部１６から離れた位置であって、当該手かけ部１６よりも上方の位置に配置してあるから、使用者の手が濡れていてこの手で扉を開きその手かけ部１６に水滴が付着しても、ＲＦＩＤタグ２１はこの手かけ部１６から離れていて、なおかつ手かけ部１６の上方に位置しているから、手かけ部１６に付着した水滴が左右に広がったり、垂れ落ちたりしても、ＲＦＩＤタグ２１の配置部分まで至ることはなく、よって前述したようにＲＦＩＤタグ２１に携帯端末２２を接近させても、この扉の手かけ部１６表面に付着した水滴でＲＦＩＤタグ２１自体やこのＲＦＩＤタグ２１に接近させる携帯端末２２を汚したり濡らしたりする不具合を防止することができ、通信状態の劣化や部品信頼性の低下等の障害をより少なくすることができる。
【００５７】
（実施の形態２）
図７はＲＦＩＤタグ２１を設けた扉が観音式扉ではなく一枚ものの場合であり、この場合の扉の表面はラウンド面で構成するとともに、ラウンド面の最も凸部分となる部分にＲＦＩＤタグ２１を設けてある。
【００５８】
この構成によれば扉表面に当該表面から盛り上げるための部品を用いることなくＲＦＩＤタグ２１を最も突出したものとすることができるとともに、ＲＦＩＤタグ２１周縁部分の扉表面がラウンド状に後退しているから携帯端末２２を多少斜めに近づけても扉表面を傷つけることを少なくすることができる。
【００５９】
（実施の形態３）
図８は１枚もの扉の場合、ＲＦＩＤタグ２１を一点鎖線を基準として見て明らかなように当該ＲＦＩＤタグ配置面より凸方向にオフセットして設けた構成としてある。特にこの実施の形態の場合は扉端部に設けた操作ユニット１８を凸方向にオフセットして設け、このＲＦＩＤタグ２１に図４で示したような位置にＲＦＩＤタグ２１を組み込んである。
【００６０】
この構成によれば、ＲＦＩＤタグ２１は必ず扉表面より突出した形となって、携帯端末２２との近接寸法を極少或いは携帯端末２２と接触させることができ、より確実な通信性能の確保ができて信頼性が向上すると同時にＲＦＩＤタグ２１の周辺部分における扉表面の傷つけをより確実に防止することができる。特にこの実施の形態では操作ユニット１８を凸方向にオフセットして設けて当該操作ユニット１８にＲＦＩＤタグ２１を組み込んであるから、ＲＦＩＤタグ２１を突出設置するにあたって操作ユニット１８を利用して合理的にＲＦＩＤタグ２１を凸設置することができ、凸設置専用部材を用いるなどしなくて良くて構成の簡素化が図れる。
【００６１】
以上のようにこの実施の形態で説明した冷蔵庫は、使用性と安全性が向上するものであるが、上記実施の形態で説明したものは本発明を実現する一形態であり、本発明の目的達成範囲内であれば種々変更可能である。
【００６２】
例えば、上記実施の形態においては使用者に提供するデータを節電啓蒙のための扉開閉回数と扉開成累計時間のデータとしたが、これはいずれか一方でもよいものであるし、他のものであってもよいものである。
【００６３】
また、ＲＦＩＤタグ２１は送信機能のみの場合で説明したが、受信機能を持つ送受信部として、例えば携帯端末２２側からＲＦＩＤタグ２１に設定温度データを送信して庫内温度を設定できるようにしたり、冷蔵庫制御部からの扉開閉回数データや扉開成累計時間データを配線ではなく近距離無線通信で受け取るようにするなどの展開が考えられる。
【００６４】
更に、送受信機能を有するＲＦＩＤタグ２１とした場合は、扉に設けたＲＦＩＤタグ２１に対応させて冷蔵庫本体側に送受信部を設け、扉が開かれると冷蔵庫本体側の送受信部がこれを検出する構成、すなわち扉のＲＦＩＤタグ２１が扉開閉検出手段を兼用する構成としてもよく、これによって構成の簡素化が図れる。そして、扉開閉検出手段も全部の扉に対応して設けるのが好ましいものの、適宜、例えば開閉頻度の高い一つもしくは幾つかの扉に設けるなどしてもよいものである。
【００６５】
さらに、この実施の形態では説明しなかったが、携帯端末２２の第２通信部３４を介してインターネット回線を利用し、例えば会社のパソコンで扉開閉回数や開閉累計時間を確認できるようにして、家にいる子供やお爺さん等の家族に連絡して扉開閉を減らすように注意を喚起することもできる。
【００６６】
なお、通信方法については、製品にタッチ動作やかざす動作などで対象を限定して判別可能であれば他の近距離無線通信であっても良い。
【産業上の利用可能性】
【００６７】
以上のように本発明は、使用性とセキュリティ安全性の高い家電機器サービスシステムと冷蔵庫を提供することができ、しかも携帯端末でＲＦＩＤタグ周縁の扉外装を傷つけることもなく長期間にわたっての美観維持性の高い冷蔵庫を提供でき、家庭及び業務用に幅広く展開できる。
【符号の説明】
【００６８】
１  冷蔵庫本体
２，３，４，５，６  貯蔵室
２  冷蔵室
７  機械室
８  圧縮機
９  冷却器
１０  冷却ファン
１１，１２，１３，１４，１５  扉
１６  手かけ部
１７  自動扉開閉機構
１８  操作ユニット
１９  設定スイッチ
２０  設定状態表示部
２１  ＲＦＩＤタグ
２２  携帯端末
２５  扉開閉検出手段
２６  カウント部
２７  回数記憶部
２８  計時部
２９  時間記憶部
３０，３３  アンテナ
３１  近距離通信検出部
３２  第１通信部
３４  第２通信部
３５  第１通信制御部
３６  第２通信制御部
３７  表示制御部
３８  携帯制御部
３９  表示部
４０  操作部
４１  記憶部
【図１】
2013190128.tif 000003
【図２】
2013190128.tif 000004
【図３】
2013190128.tif 000005
【図４】
2013190128.tif 000006
【図５】
2013190128.tif 000007
【図６】
2013190128.tif 000008
【図７】
2013190128.tif 000009
【図８】
2013190128.tif 000010
【図９】
2013190128.tif 000011